(57)【特許請求の範囲】
【請求項１】
対向機との間で各種信号を送受信する送受信部と、
前記対向機からの所定の応答信号が検出されず、デジタル識別信号を受信した場合に、前記デジタル識別信号と共に送信される非標準機能識別信号から前記対向機の製造元識別子を抽出し、自機の製造元識別子と対応するか否かを解析する信号解析部と、
前記信号解析部の解析結果に応じて、前記応答信号の再送を要求する再送要求信号の送出時間を設定する再送要求信号制御部と、を備える、ファクシミリ装置。
【請求項２】
前記信号解析部が自機の製造元識別子と前記対向機の製造元識別子が同一であることを検出した場合、前記再送要求信号制御部は、前記再送要求信号に所定勧告により定められた送出時間よりも長い送出時間を設定し、
前記信号解析部が自機の製造元識別子と前記対向機の製造元識別子が同一でないことを検出した場合、前記再送要求信号制御部は、前記再送要求信号に対し、所定勧告により定められた送出時間を設定する、ことを特徴とする請求項１に記載のファクシミリ装置。
【請求項３】
前記対向機との信号送受信に用いる回線の混雑状況を検出する回線状況検出部を更に備え、
前記再送要求信号制御部は、前記回線状況検出部が検出した混雑状況に基づいて、前記再送要求信号の時間を設定することを特徴とする請求項１または請求項２に記載のファクシミリ装置。
【請求項４】
前記再送要求信号制御部は、前記回線状況検出部が検出する混雑状況が悪化するにつれて、前記再送要求信号に設定する送出時間を長くなるように設定することを特徴とする請求項３に記載のファクシミリ装置。
【請求項５】
前記信号解析部は、前記非標準機能識別信号を検出できなかった場合に、検出できなかったことを前記再送要求信号制御部に通知し、
前記再送要求信号制御部は、当該通知を受け付けた場合、前記再送要求信号に対し、所定勧告により定められた送出時間を設定する、ことを特徴とする請求項１乃至請求項４のいずれか１項に記載のファクシミリ装置。
【請求項６】
ＩＴＵ−Ｔ勧告におけるＶ．８手順に規定の通信を行うことを特徴とする請求項１乃至請求項５のいずれか１項に記載のファクシミリ装置。
【請求項７】
対向機との間で各種信号を送受信し、
前記対向機からの所定の応答信号が検出されず、デジタル識別信号を受信した場合に、前記デジタル識別信号と共に送信される非標準機能識別信号から前記対向機の製造元識別子を抽出し、自機の製造元識別子と対応するか否かにかかる解析を実行し、
当該解析の結果に応じて、前記応答信号の再送を要求する再送要求信号の送出時間を設定する、通信接続確立方法。
【請求項８】
自機の製造元識別子と前記対向機の製造元識別子が同一であることを検出した場合、前記再送要求信号に対し、所定勧告により定められた送出時間よりも長い送出時間を設定し、
自機の製造元識別子と前記対向機の製造元識別子が同一でないことを検出した場合、前記再送要求信号に対し、所定勧告により定められた送出時間を設定する、ことを特徴とする請求項７に記載の通信接続確立方法。
【請求項９】
前記対向機との信号送受信に用いる回線の混雑状況を検出し、
検出した混雑状況に基づいて、前記再送要求信号の時間を設定することを特徴とする請求項７または請求項８に記載の通信接続確立方法。
【請求項１０】
請求項７乃至請求項９のいずれか１項に記載の通信接続確立方法をコンピュータに行わせるためのプログラム。
【発明の詳細な説明】
【技術分野】
【０００１】
本発明はファクシミリ装置、通信接続確立方法、及びプログラムに関する。
【背景技術】
【０００２】
現在、多くのファクシミリ装置がＩＴＵ−Ｔ（国際電気通信連合−電気通信標準化部門）勧告におけるＶ．８手順をサポートしている。Ｖ．８手順をサポートするファクシミリ装置では、図６に示すようなＶ．８発呼端末の呼設定フローに従って発呼処理を行う。
【０００３】
まず、発呼端末は、ＣＮＧ信号（Ｃａｌｌｉｎｇ：ファクシミリ装置、通信制御方法送信の通知信号）を送出し（Ｓ１０１）、着呼端末からのＡＮＳａｍ信号（変形応答トーン信号）の検出を待つ（Ｓ１０２）。ＡＮＳａｍ信号の受信が検出した場合（Ｓ１０２：Ｙｅｓ）、発呼端末は、ＣＭ信号（起呼メニュー信号）を送出する（Ｓ１０３）。着呼端末は、ＣＭ信号を検出したらＪＭ信号（共通メニュー信号）を送出する。発呼端末は、ＪＭ信号を検出したらＣＪ信号（ＣＭ終端信号）を送出する。
【０００４】
発呼端末が着呼端末からのＡＮＳａｍ信号を検出できず（Ｓ１０２：Ｎｏ）、ＮＳＦ信号、ＤＩＳ信号（デジタル識別信号）を受信した場合（Ｓ１０５：Ｙｅｓ）、発呼端末は、ＣＩ信号（起呼表示信号）またはＤＣＳ信号（デジタル命令信号）を送出する。より詳細に説明すると、着呼端末から受信した信号がＶ．２１のＤＩＳ信号であり、かつＤＩＳ信号の情報がＶ．８能力ありとなっている場合、発呼端末は、着呼端末へのＡＮＳａｍ信号（応答信号）の再送要求信号として、ＣＩ信号を送出する。
【０００５】
着呼端末からのＡＮＳａｍ信号が検出されず（Ｓ１０２：Ｎｏ）、かつＤＩＳ信号も検出されない場合（Ｓ１０５：Ｎｏ）、着呼端末がファクシミリ装置、通信制御方法装置でないことがあり得る。この場合、発呼端末は、ＩＴＵ−Ｔ勧告に定められている所定時間だけ待機した後（Ｓ１０４：Ｙｅｓ）に回線を切断する。
【０００６】
図７に、発呼端末がＡＮＳａｍ信号を受信できた場合の信号送受信の概念を示す。図示するように、発呼端末は、ＡＮＳａｍ信号を検出し、検出後にＣＭ信号を送出する。発呼端末は、送出したＣＭ信号に応じて着呼端末から送出されるＪＭ信号を受信する。ＪＭ信号を受信した場合、発呼端末は、ＣＪ信号を送出する。
【０００７】
なお、特許文献１には、発呼端末がダイヤル後にＡＮＳａｍ信号を未検出だった場合、発呼端末がＤＩＳ信号の受信後に送出するＣＩ信号の送出間隔を調整するファクシミリ装置が開示されている。特許文献１に記載のファクシミリ装置は、ＣＩ信号の送出間隔を調整するものであり、送出時間（１回の送信時間）を調整するものではない。さらに、特許文献１に記載のファクシミリ装置では、ＣＩ信号の送出間隔を徐々に大きくするため、通信状況を速やかに改善することはできない。
【先行技術文献】
【特許文献】
【０００８】
【特許文献１】特開２００９−３０２８５１号公報
【発明の概要】
【発明が解決しようとする課題】
【０００９】
上述したように、発呼端末が着呼端末からのＡＮＳａｍ信号を検出できず、ＤＩＳ信号（デジタル識別信号）を受信した場合、発呼端末はＣＩ信号を送出する。ここで、発呼端末が送出するＣＩ信号の送出時間は、一般にＩＴＵ−Ｔ勧告により定められた時間となる。
【００１０】
しかし、発呼端末が送出するＣＩ信号の送出時間が勧告に規定する所定値に定められているため、ノイズ等の影響によりＣＩ信号の送出時間が十分ではなく、着呼端末がＣＩ信号を確実に検出できない場合がある。着呼端末がＣＩ信号を検出できない場合、発呼端末はＣＩ信号を再送する。
【００１１】
すなわち、着呼端末が確実に再送要求信号（上記の例ではＣＩ信号）を受信できず、発呼端末と着呼端末との間の通信接続の確立に時間がかかるという問題が生じていた。
【００１２】
本発明は、上述の問題を鑑みてなされたものであり、発呼端末と着呼端末との間の通信接続の確立にかかる時間を削減したファクシミリ装置、通信接続確立方法、プログラムを提供することを主たる目的とする。
【課題を解決するための手段】
【００１３】
本発明にかかるファクシミリ装置の一態様は、
対向機との間で各種信号を送受信する送受信部と、
前記対向機からの所定の応答信号が検出されず、デジタル識別信号を受信した場合に、前記デジタル識別信号と共に送信される非標準機能識別信号から前記対向機の製造元識別子を抽出し、自機の製造元識別子と対応するか否かを解析する信号解析部と、
前記信号解析部の解析結果に応じて、前記応答信号の再送を要求する再送要求信号の送出時間を設定する再送要求信号制御部と、を備える、ものである。
【００１４】
本発明にかかる通信接続確立方法の一態様は、
対向機との間で各種信号を送受信し、
前記対向機からの所定の応答信号が検出されず、デジタル識別信号を受信した場合に、前記デジタル識別信号と共に送信される非標準機能識別信号から前記対向機の製造元識別子を抽出し、自機の製造元識別子と対応するか否かにかかる解析を実行し、
当該解析の結果に応じて、前記応答信号の再送を要求する再送要求信号の送出時間を設定する、ものである。
【００１５】
本発明にかかるプログラムの一態様は、
上述の通信接続確立方法をコンピュータに行わせるためのプログラムである。
【発明の効果】
【００１６】
本発明によれば、発呼端末と着呼端末との間の通信接続の確立にかかる時間を削減したファクシミリ装置、通信接続確立方法、プログラムを提供することができる。
【図面の簡単な説明】
【００１７】
【図１】実施の形態１にかかるファクシミリ装置１００の構成（主にハードウェアの構成）を示すブロック図である。
【図２】実施の形態１にかかる通信制御部１０の構成を示すブロック図である。
【図３】実施の形態１にかかる通信制御部１０の動作（ＣＩ送出時間の制御動作）を示すフローチャートである。
【図４】実施の形態１にかかるファクシミリ装置１００による信号送受信の様子を示す概念図である。
【図５】実施の形態１にかかる通信制御部１０の構成を示すブロック図である。
【図６】Ｖ．８発呼端末の呼設定フローを示すフローチャートである。
【図７】一般的なファクシミリ装置によるＡＮＳａｍ信号が受信できた場合の信号送受信の概念を示す概念図である。
【発明を実施するための形態】
【００１８】
＜実施の形態１＞
以下、図面を参照して本発明の実施の形態について説明する。図１は、本実施の形態にかかるファクシミリ装置１００の構成（主にハードウェアの構成）を示すブロック図である。ファクシミリ装置１００は、ＣＰＵ（Central Processing Unit）１１０、ＲＯＭ（Read Only Memory）１２０、ＲＡＭ（Random Access Memory）１３０、操作表示部１４０、画情報読取部１５０、画情報出力部１６０、ＮＣＵ（Network Control Unit）１７０、モデム１８０、画情報蓄積部１９０、及び符号／復号化部２００を備える。
【００１９】
ＣＰＵ１１０は、ファクシミリ装置１００内の各種処理を実行する中央処理装置である。ＲＯＭ１２０は、ファクシミリ装置１００の各種動作に必要なデータ、プログラム等を記憶する記憶装置である。ＲＡＭ１３０は、ファクシミリ装置１００の管理に用いる各種のデータ等を記憶する記憶装置である。
【００２０】
操作表示部１４０は、ファクシミリ装置１００上に設けられたＬＣＤ（Liquid Crystal Display）パネル等により表示画面を提供する操作部である。操作表示部１４０は、ユーザから入力に応じて各種動作の進捗状況を表示するとともに、ユーザに入力操作画面を提示する。
【００２１】
画情報読み取り部１５０は、ファクシミリ装置１００にセットされたファクシミリ原稿を読み取り、白黒２値のイメージデータであるファクシミリデータを生成する処理部である。画情報読み取り部１５０は、生成したファクシミリデータを画情報蓄積部１９０に出力する。
【００２２】
画情報出力部１６０は、対向機から送信されたファクシミリデータ等の画像データを記録紙に印刷し、印刷紙を外部に出力する処理部である。ＮＣＵ１７０は、ファクシミリ装置１００を公衆通信網（ＰＳＴＮ：Public Switched Telephone Networks）に接続するための処理を行う機器であり、例えば通信相手を読み出すためのダイヤル信号を送出する。
【００２３】
モデム１８０は、ＰＳＴＮを介して対向機とのデータ送受信を行う場合に、送受信するファクシミリデータを変調、復調する。なお、モデム１８０と、ＮＣＵ１７０と、は一体化されていても良い。
【００２４】
画情報蓄積部１９０は、対向機との間で送受信されるファクシミリデータを格納する記憶部である。符号／復号化部２００は、対向機に送信するファクシミリデータを符号化する。さらに、符号／復号化部２００は、対向機から受信したファクシミリデータを復号化する。
【００２５】
続いて、ファクシミリ装置１００内にて動作し、各ハードウェアを制御する通信制御部１０の構成について図２を参照して説明する。図２は、通信制御部１０の構成を示すブロック図である。通信制御部１０は、信号送信部２０と、信号受信部３０と、モデム制御部４０と、ＮＣＵ制御部５０と、タイマ制御部６０と、信号作成部７０と、信号解析部８０と、回線状況検出部９０と、を備える。
【００２６】
信号送信部２０は、後述する信号作成部７０が生成した各種信号（ＣＩ信号等）を対向機に対して送信する処理を制御する。信号受信部３０は、対向機が送信した各種信号（ＣＩ信号、ＤＩＳ信号等）を受信し、受信した信号を後述する信号解析部８０に供給する。
【００２７】
モデム制御部４０は、前述したモデム１８０の各種動作を制御する処理部である。ＮＣＵ制御部５０は、前述したＮＣＵ１７０の各種動作を制御する処理部である。タイマ制御部６０は、時間情報を管理するタイマを制御する処理部であり、他の処理部に対して時間情報を提供する。
【００２８】
信号作成部７０は、信号送信部２０を介して対向機に送信する各種信号（ＣＩ信号、ＣＪ信号等）を生成する処理部である。信号作成部７０は、内部にＣＩ制御部７１を備える。ＣＩ制御部７１は、後述するコード解析部８２の解析結果、及び回線状況解析部９０の解析結果に応じて、ＣＩ信号の送出時間を設定する処理部である。
【００２９】
詳細には、ＣＩ制御部７１は、後述のコード解析部８２により対向機から送信されたＮＳＦ信号内に自身と同じメーカーコードが含まれているか否かに応じて、ＣＩ信号の送出時間を設定する。ＣＩ制御部７１は、対向機のメーカーコードが自身のメーカーコードと異なる場合、ＣＩ信号の送出時間としてＩＴＵ−Ｔ勧告により定められた送出時間を設定する。
【００３０】
一方、対向機のメーカーコードが自身のメーカーコードと同じ場合、ＣＩ制御部７１は、ＣＩ信号の送出時間としてＩＴＵ−Ｔ勧告により定められた送出時間よりも長い時間を設定する。ここで、ＣＩ制御部７１は、設定する時間を固定的に定めても良く、回線状況検出部９０が検出した回線混雑状況に応じて変更しても良い。例えば、ＩＴＵ−Ｔ勧告により定められたＣＩ信号の送出時間が１秒であるとする。この場合、ＣＩ制御部７１は、対向機のメーカーコードが自身のメーカーコードと同じ場合、ＣＩ信号の送出時間を３秒に固定しても良い。また、ＣＩ制御部７１は、回線が混雑している場合にＣＩ信号の送出時間を例えば５秒に設定し、回線が混雑していない場合に送出時間を例えば２秒に設定しても良い。すなわち、メーカーコードが一致する場合に、回線混雑状況が悪化するにつれて、ＣＩ制御部７１は、ＣＩ信号の送出時間を長くする。
【００３１】
信号解析部８０は、受信した各種信号を解析する処理部であり、対向機解析部８１及びコード解析部８２を備える。対向機解析部８１は、対向機から受信したＤＩＳ信号を解析し、対向機がＶ．８に対応する能力があるか否かを判定する。対向機解析部８１は、対向機がＶ．８に対応している場合、信号作成部７０に対してＣＩ信号の作成を指示する。
【００３２】
コード解析部８２は、対向機がＤＩＳ信号を送信する場合に、合わせてＮＳＦ信号（Non Standard Facilities:非標準機能識別信号）を送信しているか否かを判定する。コード解析部８２は、ＮＳＦ信号を受信した場合に、当該信号内に含まれるメーカーコードを抽出する。メーカーコードとは、製造元を識別する情報であり、例えば各製造元に固有の数字情報である。コード解析部８２は、抽出したメーカーコードと、自身のファクシミリ装置１００に割り当てられたメーカーコードと、が一致するか否かを判定する。すなわち、コード解析部８２は、自機と、対向機と、が同一製造元であるか否かを判定する。コード解析部８２は、解析結果をＣＩ制御部７１に供給する。
【００３３】
回線状況検出部９０は、公衆通信網の混雑状況を解析する処理部である。例えば、回線状況検出部９０は、信号送信部２０を介してエコー信号を送信する。そして、回線検出部９０は、エコー信号を受信するまでの時間を計測し、この時間を回線の混雑状態として検出する。回線状況検出部９０は、この検出した回線状況をＣＩ制御部７１に通知する。
【００３４】
例えば、エコー信号の受信までに３秒かかっていた場合、ＣＩ制御部７１は、信号送受信に３秒以上かかると判断し、設定するＣＩ信号の送出時間を５秒に設定する。
【００３５】
続いて、本実施の形態にかかるファクシミリ装置１００内の通信制御部１０の動作（ＣＩ送出時間の制御動作）を図３を参照して説明する。図３は、通信制御部１０の動作の流れを示したフローチャートである。
【００３６】
ＡＮＳａｍ信号を検出できず、ＤＩＳ信号を受信した場合、対向機解析部８１は、対向機から受信したＤＩＳ信号を解析し、対向機がＶ．８に対応する能力があるか否かを判定する（Ｓ１１）。対向機がＶ．８に対応していない場合（Ｓ１１：Ｎｏ）、処理が終了される。
【００３７】
対向機がＶ．８に対応している場合（Ｓ１１：Ｙｅｓ）、コード解析部８２は、ＤＩＳ信号と共にＮＳＦ信号を受信したか否かを判定する（Ｓ１２）。ＮＳＦ信号を受信していない場合（Ｓ１２：Ｎｏ）、コード解析部８２は、その旨をＣＩ制御部７１に通知する。通知を受けたＣＩ制御部７１は、ＩＴＵ−Ｔ勧告に定められた送出時間を設定したＣＩ信号を生成する（Ｓ１５）。
【００３８】
一方、ＮＳＦ信号を受信した場合（Ｓ１２：Ｙｅｓ）、コード解析部８２は、ＮＳＦ信号に含まれるメーカーコードと、自機のメーカーコードを比較する（Ｓ１３）。両メーカーコードが一致する場合、すなわち対向機と自機の製造元が同じ場合（Ｓ１３：Ｙｅｓ）、コード解析部８２は、対向機と同一製造元であることをＣＩ制御部７１に通知する。通知を受けたＣＩ制御部７１は、ＩＴＵ−Ｔ勧告に定められた時間よりも長い送出時間を設定したＣＩ信号を生成する（Ｓ１４）。
【００３９】
一方、対向機と自機の製造元が異なる場合（Ｓ１３：Ｎｏ）、コード解析部８２は、その旨をＣＩ制御部７１に通知する。通知を受けたＣＩ制御部７１は、ＩＴＵ−Ｔ勧告に定められた送出時間を設定したＣＩ信号を生成する（Ｓ１５）。以上のように、通信制御部１０は、ＣＩ信号を生成する。
【００４０】
次に、本実施の形態にかかるファクシミリ装置１００による信号の送受信の様子を図４を参照して説明する。図４は、ＣＩ信号を含む各信号の送受信のフローを示す概念図である。図４は、着呼端末が送信したＡＮＳａｍ信号を、発呼端末が受信できなかった場合の様子を示している。図４に示す発呼端末は、本実施の形態にかかるファクシミリ装置１００である。
【００４１】
発呼端末は、着呼側から送信されたＡＮＳａｍ信号を検出できず、ＤＩＳ信号及びＮＳＦ信号を検出する。発呼端末は、ＮＳＦ信号に含まれるメーカーコードを抽出し、対向機である着呼端末が自機と同一製造元であるか否かを判定する。着呼端末が自機と同一製造元である場合、発呼端末は、ＣＩ信号の送出時間をＩＴＵ−Ｔ勧告が定める時間よりも長く設定する。
【００４２】
なお、その後の処理（ＡＮＳａｍ信号の再送信、ＣＭ信号の送信等）は、前述（図６）のとおりである。
【００４３】
続いて、本実施の形態にかかるファクシミリ装置１００の効果について説明する。上述したように、本実施の形態にかかるファクシミリ装置１００（発呼端末）は、対向機が自機と対応する識別子（上述の説明では同一のメーカーコード）を持つ場合に、再送要求信号（ＣＩ信号）の送出時間をＩＴＵ−Ｔ勧告に定められた時間よりも長く設定する。これにより、着呼端末は、より確実にＣＩ信号を受信することができる。着呼端末がＣＩ信号を確実に受信できるため、ファクシミリ装置１００発呼端末は、ＣＩ信号を再送する必要性を少なくできる。これにより、通信時間を削減でき、通信性を向上させることができる。
【００４４】
さらに、本実施の形態にかかるファクシミリ装置１００（発呼端末）は、対向機が自機と対応する識別子（上述の説明では同一のメーカーコード）を持たない場合、再送要求信号（ＣＩ信号）の送出時間をＩＴＵ−Ｔ勧告に定められた時間に設定する。そのため、ファクシミリ装置１００（発呼端末）は、勧告に沿った（勧告違反とならない）適切な動作を合わせて実現することができる。
【００４５】
さらにまた、本実施の形態にかかるファクシミリ装置１００（発呼端末）は、対向機が自機と対応する識別子（上述の説明では同一のメーカーコード）を持つ場合に、回線混雑状況に応じて、ＣＩ信号の送出時間を柔軟に設定することが可能である。これにより、回線混雑時には、ＣＩ信号の送出時間を十分に大きく設定することができ、１回のＣＩ信号の送出により、着呼端末が確実にＣＩ信号を受信できるようになる。
【００４６】
なお、ＣＩ信号の送出が終了しないと、着呼端末は、ＡＮＳａｍ信号の送信を開始することができない。本実施の形態にかかるファクシミリ装置１００（発呼端末）は、回線があまり混雑していない場合には、対向機が自機と対応する識別子（上述の説明では同一のメーカーコード）を持つ場合であっても、ＣＩ信号の送出時間を大幅に大きくしないように制御する。これにより、ＣＩ信号を確実に受信できる環境において、ＡＮＳａｍ信号の送信開始までの時間を短縮できる。
【００４７】
なお、本発明は上記実施の形態に限られたものではなく、趣旨を逸脱しない範囲で適宜変更することが可能である。例えば、ファクシミリ装置１００は、複写機能等を備える複合機の一部として実現されても良い。
【００４８】
上述の説明では、コード解析部８２は、自機のメーカーコードと、対向機のメーカーコードが完全に一致するか否かを判定したが必ずしもこれに限られない。例えば、コード解析部８２は、対向機が自機の製造元と関連するメーカーコード（たとえば親会社、子会社の関係となるメーカーコード）を持つ場合に、ＩＴＵ−Ｔの勧告に反しない範囲で両者を同一の製造元とみなしても良い。
【００４９】
なお、通信制御部１０の各処理は、例えば任意のコンピュータ内で動作するプログラムとして実現することが可能である。プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５０】
プログラムがメモリ（ＲＯＭ１２０、ＲＡＭ１３０）上に展開され、ＣＰＵ１１０がプログラムに従って処理を行い、他のハードウェア構成と協働することによって、通信制御部１０の各ブロックが構成されている。そして、通信制御部１０による各処理は、ＣＰＵ１１０において所定のプログラムが実行されることで実現されている。
【００５１】
本発明の概略を、通信制御部１０の特徴点を抽出して示したブロック図（図５）を用いて、改めて説明する。通信制御部１０は、信号送信部２０と、信号受信部３０と、ＣＩ制御部７１（再送要求信号制御部）を備える信号作成部７０と、信号解析部８０と、を備える。信号送信部２０は、信号作成部７０が生成した各種信号（ＣＩ信号等）を対向機に対して送信する処理を制御する。信号受信部３０は、対向機が送信した各種信号（ＣＩ信号、ＤＩＳ信号等）を受信し、受信した信号を信号解析部８０に供給する。
【００５２】
信号解析部８０は、対向機からの所定の応答信号（ＡＮＳａｍ信号）が検出されず、デジタル識別信号（ＤＩＳ信号）を受信した場合に、デジタル識別信号（ＤＩＳ信号）と共に送信される非標準機能識別信号（ＮＳＦ信号）から対向機の製造元識別子（メーカコード）を抽出する。信号解析部８０は、抽出した製造元識別子（メーカコード）と、自機の製造元識別子（メーカコード）を比較する。
【００５３】
ＣＩ制御部７１（再送要求信号制御部）は、信号解析部８０による製造元識別子の解析結果に応じて、応答信号（ＡＮＳａｍ信号）の再送を要求する再送要求信号（ＣＩ信号）の送出時間を設定する。
【００５４】
当該構成であっても、対向機が自機と対応する識別子（上述の説明では同一のメーカーコード）を持つ場合に、再送要求信号（ＣＩ信号）の送出時間をＩＴＵ−Ｔ勧告に定められた時間よりも長く設定できる。これにより、着呼端末は、より確実にＣＩ信号を受信することができる。着呼端末がＣＩ信号を確実に受信できるため、発呼端末は、ＣＩ信号を再送する必要性が少なくなり、通信時間を削減できる。
【００５５】
上記実施形態の一部又は全部は、以下の付記のようにも記載されうるが、以下には限られない。
【００５６】
（付記１）
対向機との間で各種信号を送受信する送受信部と、
前記対向機からの所定の応答信号が検出されず、デジタル識別信号を受信した場合に、前記デジタル識別信号と共に送信される非標準機能識別信号から前記対向機の製造元識別子を抽出し、自機の製造元識別子と対応するか否かを解析する信号解析部と、
前記信号解析部の解析結果に応じて、前記応答信号の再送を要求する再送要求信号の送出時間を設定する再送要求信号制御部と、を備える、ファクシミリ装置。
【００５７】
（付記２）
前記信号解析部が自機の製造元識別子と前記対向機の製造元識別子が同一であることを検出した場合、前記再送要求信号制御部は、前記再送要求信号に所定勧告により定められた送出時間よりも長い送出時間を設定し、
前記信号解析部が自機の製造元識別子と前記対向機の製造元識別子が同一でないことを検出した場合、前記再送要求信号制御部は、前記再送要求信号に対し、所定勧告により定められた送出時間を設定する、ことを特徴とする付記１に記載のファクシミリ装置。
【００５８】
（付記３）
前記対向機との信号送受信に用いる回線の混雑状況を検出する回線状況検出部を更に備え、
前記再送要求信号制御部は、前記回線状況検出部が検出した混雑状況に基づいて、前記再送要求信号の時間を設定することを特徴とする付記１または付記２に記載のファクシミリ装置。
【００５９】
（付記４）
前記再送要求信号制御部は、前記回線状況検出部が検出した混雑状況が悪化するにつれて、前記再送要求信号に設定する送出時間を長くなるように設定することを特徴とする付記３に記載のファクシミリ装置。
【００６０】
（付記５）
前記信号解析部は、前記非標準機能識別信号を検出できなかった場合に、検出できなかったことを前記再送信号制御部に通知し、
前記再送要求信号制御部は、当該通知を受け付けた場合、前記再送要求信号に対し、所定勧告により定められた送出時間を設定する、ことを特徴とする付記１乃至付記４のいずれか１項に記載のファクシミリ装置。
【００６１】
（付記６）
ＩＴＵ−Ｔ勧告におけるＶ．８手順に規定の通信を行うことを特徴とする付記１乃至付記５のいずれかに記載のファクシミリ装置。
【００６２】
（付記７）
対向機との間で各種信号を送受信し、
前記対向機からの所定の応答信号が検出されず、デジタル識別信号を受信した場合に、前記デジタル識別信号と共に送信される非標準機能識別信号から前記対向機の製造元識別子を抽出し、自機の製造元識別子と対応するか否かにかかる解析を実行し、
当該解析の結果に応じて、前記応答信号の再送を要求する再送要求信号の送出時間を設定する、通信接続確立方法。
【００６３】
（付記８）
自機の製造元識別子と前記対向機の製造元識別子が同一であることを検出した場合、前記再送要求信号に対し、所定勧告により定められた送出時間よりも長い送出時間を設定し、
自機の製造元識別子と前記対向機の製造元識別子が同一でないことを検出した場合、前記再送要求信号に対し、所定勧告により定められた送出時間を設定する、ことを特徴とする付記７に記載の通信接続確立方法。
【００６４】
（付記９）
前記対向機との信号送受信に用いる回線の混雑状況を検出し、
検出した混雑状況に基づいて、前記再送要求信号の時間を設定することを特徴とする付記７または付記８に記載の通信接続確立方法。
【００６５】
（付記１０）
検出した前記回線の混雑状況が悪化するにつれて、前記再送要求信号に設定する送出時間を長くなるように設定することを特徴とする付記９に記載の通信接続確立方法。
【００６６】
（付記１１）
前記非標準機能識別信号を検出できなかった場合、前記再送要求信号に対し、所定勧告により定められた送出時間を設定する、ことを特徴とする付記７乃至付記１０のいずれかに記載の通信接続確立方法。
【００６７】
（付記１２）
付記７乃至付記１１のいずれかに記載の通信接続確立方法をコンピュータに行わせるためのプログラム。
【符号の説明】
【００６８】
１０  通信制御部
２０  信号送信部
３０  信号受信部
４０  モデム制御部
５０  ＮＣＵ制御部
６０  タイマ制御部
７０  信号作成部
７１  ＣＩ制御部
８０  信号解析部
８１  対向機解析部
８２  コード解析部
９０  回線状況検出部
１００  ファクシミリ装置
１１０  ＣＰＵ
１２０  ＲＯＭ
１３０  ＲＡＭ
１４０  操作表示部
１５０  画情報読取部
１６０  画情報出力部
１７０  ＮＣＵ
１８０  モデム
１９０  画情報蓄積部
２００  符号／復号化部
【図１】
0005831928.tif 000002
【図２】
0005831928.tif 000003
【図３】
0005831928.tif 000004
【図４】
0005831928.tif 000005
【図５】
0005831928.tif 000006
【図６】
0005831928.tif 000007
【図７】
0005831928.tif 000008